(57)【要約】【課題】　景観向上や環境緑化の観点に立ち、水路や擁壁等の壁面を施工する組立柵工について、植栽による景観向上や環境緑化を図ることができるようにした組立柵工技術の提供。【解決手段】　水路Ｗや擁壁等の壁面を施工する組立柵工である。下側部分を地中に埋設する状態に立設される複数本の杭体１と、この各杭体の上側部分に取り付けられる板架け部材２と、この板架け部材の間に上下複数段に横架されて背面土Ｂを支える土留板３とを備えている。土留板を、その上縁側が壁面の前面側に傾斜する状態に横架させることにより、土留板の内面側に上面が開放した植生棚部Ｐを形成し、この植生棚部内に植生土Ｑを充填する。【選択図】　　　図１
2004137892.tif 000002
【特許請求の範囲】
【請求項１】
水路や擁壁等の壁面を施工する組立柵工であって、
　下側部分を地中に埋設する状態で壁面に沿って立設される複数本の杭体と、この各杭体の上側部分に取り付けられる板架け部材と、隣り合う杭体間において板架け部材の間に上下複数段に横架されて背面土を支える土留板とを備え、
　前記土留板を、その上縁側が壁面の前面側に傾斜する状態に横架させることにより、土留板の内面側に上面が開放した植生棚部を形成し、この植生棚部内に植生土を充填したことを特徴とした組立柵工。
【請求項２】
請求項１記載の組立柵工において、杭体の中程背面部に板架け部材の下端面を受け止めて支持する突出部が形成され、板架け部材には、その前面中央部に杭体に対する嵌合溝が形成されると共に、その両側部に張り出し部が形成され、この張り出し部に土留板の端部を嵌合させる傾斜溝が形成されている組立柵工。
【請求項３】
水路の壁面を施工する組立柵工であって、
　水路の底面に沿わせる底面枠部の両端に水路の壁面に沿わせる支柱枠部が立設されている複数本のＵ字状枠体と、このＵ字状枠体の少なくとも一方の支柱枠部に取り付けられる板架け部材と、隣り合うＵ字状枠体間において板架け部材の間に上下複数段に横架されて背面土を支える土留板とを備え、
　前記土留板を、その上縁側が壁面の前面側に傾斜する状態に横架させることにより、土留板の内面側に上面が開放した植生棚部を形成し、この植生棚部内に植生土を充填したことを特徴とした組立柵工。
【請求項４】
請求項３記載の組立柵工において、支柱枠部の背面両側に上端から下部にかけて切欠部が形成され、この切欠部の下端に板架け部材の下端面を受け止めて支持する下端段差部が形成され、板架け部材には、その前面中央部に支柱枠部に対する嵌合溝が形成されると共に、その両側部に張り出し部が形成され、この張り出し部に土留板の端部を嵌合させる傾斜溝が形成されている組立柵工。
【請求項５】
水路や擁壁等の壁面を施工する組立柵工であって、
　下側部分を地中に埋設する状態で壁面に沿って立設される複数本の杭体と、隣り合う杭体間において上下複数段に横架されて背面土を支える土留板とを備え、
　前記土留板の正面に上面が開放した植生用ポット部を形成し、この植生用ポット部内に植生土を充填したことを特徴とした組立柵工。
【発明の詳細な説明】
【技術分野】
【０００１】
　本発明は、杭体又はＵ字状枠体と、土留板を用いて水路や擁壁等の壁面を施工する組立柵工技術に関するものである。
【背景技術】
【０００２】
　従来、例えば、水路や擁壁等の壁面を施工する組立柵工は、複数本の杭体を、一定間隔で地中に埋設して立設し、この各杭体の中程背面部に突設された突出部に土留板の下端部を支持する状態で、土留板を隣り合う杭体間において杭体の上側部分の間に上下複数段に横架することにより背面土を支えるように施工される。
　又、水路の壁面を施工する組立柵工は、底面枠部の両端に支柱枠部が立設されている複数本のＵ字状枠体を、水路の内面に沿って一定間隔で設置し、両支柱枠部の背面両側に形成された切欠部の下端段差部で土留板の下端部を支持する状態で、土留板を隣り合う支柱枠部の間に上下複数段に横架することにより背面土を支えるように施工される。
　前者の杭体又は後者のＵ字状枠体のいずれを用いた場合も、土留板は上下方向に積み重ねる状態に架設されることから、施工後の壁面は単なる平面的な壁に構築されるに過ぎないものになっている。
【発明の開示】
【発明が解決しようとする課題】
【０００３】
　近年、コンクリートによる土木構造物の景観向上や環境緑化が重要視されるようになっている。
　本発明では、この景観向上や環境緑化の観点に立ち、水路や擁壁等の壁面を施工する組立柵工についても、植栽による景観向上や環境緑化を図ることができるようにした組立柵工技術を提供することを課題としている。
【課題を解決するための手段】
【０００４】
　上記の課題を解決するために、本発明（請求項1）の組立柵工は、
　水路や擁壁等の壁面を施工する組立柵工であって、
　下側部分を地中に埋設する状態で壁面に沿って立設される複数本の杭体と、この各杭体の上側部分に取り付けられる板架け部材と、隣り合う杭体間において板架け部材の間に上下複数段に横架されて背面土を支える土留板とを備え、
　前記土留板を、その上縁側が壁面の前面側に傾斜する状態に横架させることにより、土留板の内面側に上面が開放した植生棚部を形成し、この植生棚部内に植生土を充填した構成にしている。
【０００５】
　この組立柵工では、土留板の上縁側が壁面の前面側に傾斜する状態に横架されて、土留板の内面側に上面が開放した植生棚部が形成されているため、この植生棚部をいわゆるプランターとして使用することができる。
　従って、この植生棚部に植生土を充填して、ここに植物を植生させれば、壁面に上下複数段のグリーンベルトができあがり、単なるコンクリート壁と異なり、景観向上や環境緑化を図ることができる。
【０００６】
　この組立柵工において、杭体の中程背面部に板架け部材の下端面を受け止めて支持する突出部が形成され、板架け部材には、その前面中央部に杭体に対する嵌合溝が形成されると共に、その両側部に張り出し部が形成され、この張り出し部に土留板の端部を嵌合させる傾斜溝が形成されている態様（請求項２）がある。
【０００７】
　杭体を用いた組立柵工では、杭体と土留板が構成部材となるが、本発明では、これに加えて板架け部材を備えている点に特徴がある。
　即ち、杭体によって板架け部材を支持し、この板架け部材によって土留板を支持する構成になっている。
　この場合、板架け部材は、杭体の中程背面部に突設された突出部によって支持されると共に、前面中央部に形成された嵌合溝を杭体に嵌合することにより杭体に支持される。
　又、板架け部材の両側部には張り出し部が形成され、この張り出し部に傾斜溝が形成され、この傾斜溝に土留板の端部を嵌合させることにより、土留板を傾斜状態に横架して土留板の内面側に植生棚部を形成するようになっている。
　従って、土留板は、板架け部材を介して杭体に支持されることになるため、杭体及び土留板については、従来の既成品を使用しながら、板架け部材についてのみ新たな部品として成形すれば足りる。
【０００８】
　又、本発明（請求項３）の組立柵工は、
水路の壁面を施工する組立柵工であって、
　水路の底面に沿わせる底面枠部の両端に水路の壁面に沿わせる支柱枠部が立設されている複数本のＵ字状枠体と、このＵ字状枠体の少なくとも一方の支柱枠部に取り付けられる板架け部材と、隣り合うＵ字状枠体間において板架け部材の間に上下複数段に横架されて背面土を支える土留板とを備え、
　前記土留板を、その上縁側が壁面の前面側に傾斜する状態に横架させることにより、土留板の内面側に上面が開放した植生棚部を形成し、この植生棚部内に植生土を充填した構成にしている。
【０００９】
　この組立柵工においても、土留板の内面側に上面が開放した植生棚部が形成されているため、この植生棚部に植生土を充填して、ここに植物を植生させれば、壁面に上下複数段のグリーンベルトができあがり、単なるコンクリート壁と異なり、景観向上や環境緑化を図ることができる。
　この場合、隣り合うＵ字状枠体間において一方の支柱枠部間には、従来通りに土留板を上下方向に積み重ねる状態に架設することで、水路を形成する一方の壁面を単なる平面的な壁に形成させてもよいし、又、隣り合うＵ字状枠体間において両方の支柱枠部間に土留板を傾斜する状態に横架して、水路を形成する両方の壁面に、共に植生棚部を形成させるようにしてもよい。
【００１０】
　この組立柵工において、支柱枠部の背面両側に上端から下部にかけて切欠部が形成され、この切欠部の下端に板架け部材の下端面を受け止めて支持する下端段差部が形成され、板架け部材には、その前面中央部に支柱枠部に対する嵌合溝が形成されると共に、その両側部に張り出し部が形成され、この張り出し部に土留板の端部を嵌合させる傾斜溝が形成されている態様（請求項４）がある。
【００１１】
　このようにＵ字状枠体を用いた組立柵工においても、土留板は、板架け部材を介して支柱枠部に支持されることになるため、Ｕ字状枠体及び土留板については、従来の既成品を使用しながら、板架け部材についてのみ新たな部品として成形すれば足りる。
【００１２】
　又、本発明（請求項５）の組立柵工は、
　水路や擁壁等の壁面を施工する組立柵工であって、
　下側部分を地中に埋設する状態で壁面に沿って立設される複数本の杭体と、隣り合う杭体間において上下複数段に横架されて背面土を支える土留板とを備え、
　前記土留板の正面に上面が開放した植生用ポット部を形成し、この植生用ポット部内に植生土を充填した構成にしている。
【００１３】
　この組立柵工では、土留板の正面に上面が開放した植生用ポット部を形成しているため、この植生用ポット部をいわゆるプランターとして使用することができる。
　従って、この植生用ポット部に植生土を充填して、ここに植物を植生させれば、壁面に上下複数段のグリーンベルトができあがり、単なるコンクリート壁と異なり、景観向上や環境緑化を図ることができる。
【発明の効果】
【００１４】
　以上説明してきたように、本発明の組立柵工（請求項１又は３又は５）にあっては、景観向上や環境緑化の観点に立ち、水路や擁壁等の壁面を施工する組立柵工について、植栽による景観向上や環境緑化を図ることができる。
【００１５】
　また、本発明の組立柵工（請求項２又は４）にあっては、杭体又はＵ字状枠体、及び土留板については、従来の既成品を使用しながら、板架け部材についてのみ新たな部品として成形すれば足りることになり、成形コストの負担を軽減することができる。
【発明を実施するための最良の形態】
【００１６】
　以下、本発明の実施の形態を図面により詳述する。図１は本発明の実施の第１形態である組立柵工の断面図、図２はその正面図、図３はその平面図、図４はこの組立柵工に用いた板架け部材の斜視図である。
【００１７】
　この組立柵工は、水路Ｗの壁面を施工するものであって、杭体１と、板架け部材２と、土留板３とを備えている。
【００１８】
　前記杭体１は、鉄筋コンクリートにより角柱状に形成され、中程背面部に突出部１０が形成された既成品が用いられている。
　そして、壁面に沿って複数本の杭体１を一定間隔で立設させるもので、この場合、突出部１０が背面になるように各杭体１の下側部分を地中Ｇに打ち込んで埋設する。
【００１９】
　前記板架け部材２は、鉄筋コンクリートにより成形されたもので、前記杭体の断面角形状に対応する嵌合溝２０が前面中央部に上下方向に全長に亘って延長して形成され、その左右には張り出し部２１，２１が形成されている。
　この張り出し部２１には、板架け部材２の側面及び前面に開口し、前面から背面方向に下り傾斜した（実施の形態では垂直に対して約３５度）傾斜溝２２が上下複数段（３段）に形成されている。
　そして、この板架け部材２は、前記嵌合溝２０を杭体の背面側から杭体１の上側部分に嵌合させると共に、その下端面を前記突出部１０によって受け止めることで、杭体１に支持されている。
【００２０】
　前記土留板３は、鉄筋コンクリートにより平板状に形成された既成品が用いられている。
　そして、この土留板３の両端部を隣り合う杭体１，１間において板架け部材２，２の傾斜溝２２，２２に嵌合させて、板架け部材２，２間に土留板３を横架させることにより、この土留板３によって背面土Ｂを支えた組立柵工が構成される。
　この場合、土留板３の上縁側が壁面の前面側に傾斜する状態に横架されることにより、土留板３の内面側に上面が開放した植生棚部Ｐが形成され、この植生棚部Ｐ内に植生土Ｑを充填して（背面土Ｂをそのまま充填してもよいし、腐葉土等を充填してもよい）、ここに植物を植生させるようになっている。
【００２１】
　このように構成した組立柵工では、土留板３の上縁側が壁面の前面側に傾斜する状態に横架されて、土留板３の内面側に上面が開放した植生棚部Ｐが形成されているため、この植生棚部Ｐをいわゆるプランターとして使用することができる。
　従って、この植生棚部Ｐに植生土Ｑを充填して、ここに植物を植生させれば、壁面に上下複数段のグリーンベルトができあがり、単なるコンクリート壁と異なり、景観向上や環境緑化を図ることができる。
　又、植生棚部Ｐに充填した植生土Ｑと背面土Ｂが連続するため、背面土Ｂから植生土Ｑへの雨水の浸透が得られ、単なる鉢やプランタによる植栽と異なり、地山からの水分補給が得られる。
【００２２】
　この組立柵工では、杭体１によって板架け部材２を支持し、この板架け部材２によって土留板３を支持する構成になっている。
　即ち、板架け部材２は、杭体１の中程背面部に突設された突出部１０によって支持されると共に、前面中央部に形成された嵌合溝２０を杭体１に嵌合することにより杭体１に支持されている。
　又、土留板３は、板架け部材２の張り出し部２１に形成された傾斜溝２２に端部を嵌合させることにより横架されている。
　従って、土留板３は、板架け部材２を介して杭体１に支持されることになるため、杭体１及び土留板３については、従来の既成品を使用しながら、板架け部材２についてのみ新たな部品として成形すれば足りることになり、成形コストの負担を軽減することができる。
【００２３】
　次に、図５は本発明の実施の第２形態である組立柵工の断面図、図６は図５のＡ−Ａ断面図、図７はこの組立柵工に用いた板架け部材の斜視図である。
【００２４】
　この組立柵工は、水路Ｗの両壁面を施工するものであって、Ｕ字状枠体５と、板架け部材６と、土留板７とを備えている。
【００２５】
　前記Ｕ字状枠体５は、鉄筋コンクリートにより、水路Ｗの底面に沿わせる底面枠部５０の両端に水路Ｗの壁面に沿わせる支柱枠部５１，５１が一体に立設された略Ｕ字形状に形成されている。そして、支柱枠部５１の背面両側に上端から下部にかけて切欠部５２，５２が形成されて、この支柱枠部５１が断面凸字形状に形成され、前記切欠部５２，５２の下端に板架け部材６の下端面を受け止めて支持する下端段差部５３，５３が形成された既成品が用いられている。
　そして、水路Ｗの内面に沿って複数体のＵ字状枠体５を一定間隔で設置させるもので、この場合、底面枠部５０が水路Ｗの幅方向に延在するように設置する。
【００２６】
　前記板架け部材６は、鉄筋コンクリートにより成形されたもので、前記支柱枠部５１の断面凸字形状に対応する嵌合溝６０が前面中央部に上下方向に全長に亘って延長して形成され、その左右には張り出し部６１，６１が形成されている。
　この張り出し部６１には、板架け部材６の側面及び前面に開口し、前面から背面方向に下り傾斜した（実施の形態では垂直に対して約４５度）傾斜溝６２が上下複数段（３段）に形成されている。
　そして、この板架け部材６は、前記嵌合溝６０を支柱枠部５１に背面側から嵌合させると共に、その下端面を前記下端段差部５３によって受け止めることで、支柱枠部５１に支持されている。
【００２７】
　前記土留板７は、鉄筋コンクリートにより平板状に形成された既成品が用いられている。
　そして、実施の第１形態と同様に、この土留板７の両端部を隣り合うＵ字状枠体５，５間において板架け部材６，６の傾斜溝６２，６２に嵌合させて、板架け部材６２，６２間に土留板７を横架させることにより、この土留板７によって背面土Ｂを支えた組立柵工が構成される。
　これにより、土留板７の内面側に上面が開放した植生棚部Ｐが形成され、この植生棚部Ｐ内に植生土Ｑを充填して、ここに植物を植生させるようになっている。
　従って、植生棚部Ｐをいわゆるプランターとして使用することができ、単なるコンクリート壁と異なり、景観向上や環境緑化を図ることができる。
【００２８】
　この組立柵工では、板架け部材６は、支柱枠部５１に形成された切欠部５２，５２の下端段差部５３，５３によって支持されると共に、前面中央部に形成された嵌合溝６０を支柱枠部５１に嵌合することにより支柱枠部５１に支持されている。
　又、土留板７は、板架け部材６の張り出し部６１に形成された傾斜溝６２に端部を嵌合させることにより横架されている。
　従って、土留板７は、板架け部材６を介してＵ字状枠体５の支柱枠部５１に支持されることになるため、Ｕ字状枠体５及び土留板７については、従来の既成品を使用しながら、板架け部材６についてのみ新たな部品として成形すれば足りる。
【００２９】
　次に、図８は本発明の実施の第３形態である組立柵工の断面図、図９はこの組立柵工の平面図、図１０はこの組立柵工の正面図である。
【００３０】
　この組立柵工は、擁壁の壁面を施工するものであって、杭体１と、平状土留板８及びポット付き土留板９を備えている。
【００３１】
　前記杭体１は、実施の第１形態で用いたものと同様に鉄筋コンクリートにより角柱状に形成され、中程背面部に突出部１０が形成された既成品が用いられている。
　そして、壁面に沿って複数本の杭体１を一定間隔で立設させるもので、この場合、突出部１０が背面になるように各杭体１の下側部分を地中Ｇに打ち込んで埋設する。
【００３２】
　前記平状土留板８は、鉄筋コンクリートにより平板状に形成された既成品が用いられている。
　又、ポット付き土留板９は、背面板部９０の正面に上面が開放した植生用ポット部９１を形成したもので、この植生用ポット部９１は、内側に傾斜した左右側板９２，９２と、上縁側が壁面の前面側に傾斜した前面板９３とで内部に凹状空間９４を囲むように形成されている。
　また、前記背面板部９０には、杭体１の背面幅の半分の突出幅で架設部９５，９５が両端部に形成され、又、背面板部９０を貫通して前記凹状空間９４内に連通する導水穴９６が形成されている。
　そして、この平状土留板８の両端部及びポット付き土留板９の架設部９５，９５を隣り合う杭体１，１間に横架させることにより、この平状土留板８及びポット付き土留板９によって背面土Ｂを支えた組立柵工が構成される。
　尚、この実施の形態では、杭体の突出部１０の上に平状土留板８の両端を支持させることで、擁壁の最下段に平状土留板８を横架させ、この平状土留板８の上に支持されるようにポット付き土留板９を２段に横架させ、このポット付き土留板９の上に支持されるように平状土留板８を横架させ、かつ擁壁の最上段において平状土留板８及び各杭体１の上端に笠木ブロック９９を上から被せた擁壁構造に施工されている。
　そして、前記各ポット付き土留板９の植生用ポット部９１内に植生土Ｑを充填して、ここに植物を植生させるようになっている。
【００３３】
　このように構成した組立柵工では、ポット付き土留板９の正面に上面が開放した植生用ポット部９１が形成されているため、この植生用ポット部９１をいわゆるプランターとして使用することができる。
　従って、この植生用ポット部９１に植生土Ｑを充填して、ここに植物を植生させれば、壁面に上下複数段のグリーンベルトができあがり、単なるコンクリート壁と異なり、景観向上や環境緑化を図ることができる。
　又、導水穴９６によって植生用ポット部９１に充填した植生土Ｑと背面土Ｂが連通するため、背面土Ｂから植生土Ｑへの雨水の浸透が得られ、地山からの水分補給が得られる。
【００３４】
　以上、本発明の実施の形態を図面により説明したが、具体的な構成はこれに限定されることはない。
　例えば、杭体を用いた組立柵工については、これを用いて水路の壁面を構築するほか、擁壁の壁面を構築することができる。
　又、杭体の立設間隔やＵ字状枠体の設置間隔、土留板の段数や傾斜角度等は、現場条件等に合わせて適宜に設計することができる。
　又、土留板の材質についても、鉄筋コンクリートのほか、プラスチック、金属、木材、ポーラスコンクリート等を使用できるし、その表面にデザインや塗装を施すことは任意である。
　又、実施の第３形態において、土留板として平状土留板８とポット付き土留板９を用いたが、平状土留板８を用いずに、ポット付き土留板９のみを用いて施工することもできる。
【図面の簡単な説明】
【００３５】
【図１】本発明の実施の第１形態である組立柵工の断面図である。
【図２】その組立柵工の正面図である。
【図３】その組立柵工の平面図である。
【図４】この組立柵工に用いた板架け部材の斜視図である。
【図５】本発明の実施の第２形態である組立柵工の断面図である。
【図６】図５のＡ−Ａ断面図である。
【図７】この組立柵工に用いた板架け部材の斜視図である。
【図８】本発明の実施の第３形態である組立柵工の断面図である。
【図９】この組立柵工の平面図である。
【図１０】この組立柵工の正面図である。
【符号の説明】
【００３６】
　　１　杭体
　１０　突出部
　　２　板架け部材
　２０　嵌合溝
　２１　張り出し部
　２２　傾斜溝
　　３　土留板
　　Ｂ　背面土
　　Ｇ　地中
　　Ｐ　植生棚部
　　Ｑ　植生土
　　Ｗ　水路
　　５　Ｕ字状枠体
　５０　底面枠部
　５１　支柱枠部
　５２　切欠部
　５３　下端段差部
　　６　板架け部材
　６０　嵌合溝
　６１　張り出し部
　６２　傾斜溝
　　７　土留板
　　８　平状土留板
　　９　ポット付き土留板
　９０　背面板部
　９１　植生用ポット部
　９２　側板
　９３　前面板
　９４　凹状空間
　９５　架設部
　９６　導水穴
　９９　笠木ブロック
【図１】
2004137892.tif 000003
【図２】
2004137892.tif 000004
【図３】
2004137892.tif 000005
【図４】
2004137892.tif 000006
【図５】
2004137892.tif 000007
【図６】
2004137892.tif 000008
【図７】
2004137892.tif 000009
【図８】
2004137892.tif 000010
【図９】
2004137892.tif 000011
【図１０】
2004137892.tif 000012
【手続補正書】
【提出日】平成15年12月25日(2003.12.25)
【手続補正１】
【補正対象書類名】特許請求の範囲
【補正対象項目名】全文
【補正方法】変更
【補正の内容】
【特許請求の範囲】
【請求項１】
水路や擁壁等の壁面を施工する組立柵工であって、
　下側部分を地中に埋設する状態で壁面に沿って立設される複数本の杭体と、隣り合う杭体間において上下複数段に横架されて背面土を支える平状土留板とポット付き土留板とを備え、
　前記ポット付き土留板の正面に上面が開放した植生用ポット部を形成し、この植生用ポット部内に植生土を充填したことを特徴とした組立柵工。
【請求項２】
水路や擁壁等の壁面を施工する組立柵工であって、
　下側部分を地中に埋設する状態で壁面に沿って立設される複数本の杭体と、隣り合う杭体間において上下複数段に横架されて背面土を支えるポット付き土留板とを備え、
　前記ポット付き土留板の正面に上面が開放した植生用ポット部を形成し、この植生用ポット部内に植生土を充填したことを特徴とした組立柵工。
【手続補正２】
【補正対象書類名】明細書
【補正対象項目名】全文
【補正方法】変更
【補正の内容】
【発明の詳細な説明】
【技術分野】
【０００１】
　本発明は、杭体と土留板を用いて水路や擁壁等の壁面を施工する組立柵工技術に関するものである。
【背景技術】
【０００２】
　従来、例えば、水路や擁壁等の壁面を施工する組立柵工は、複数本の杭体を、一定間隔で地中に埋設して立設し、この各杭体の中程背面部に突設された突出部に土留板の下端部を支持する状態で、土留板を隣り合う杭体間において杭体の上側部分の間に上下複数段に横架することにより背面土を支えるように施工される。
　この場合、土留板は上下方向に積み重ねる状態に架設されることから、施工後の壁面は単なる平面的な壁に構築されるに過ぎないものになっている。
【発明の開示】
【発明が解決しようとする課題】
【０００３】
　近年、コンクリートによる土木構造物の景観向上や環境緑化が重要視されるようになっている。
　本発明では、この景観向上や環境緑化の観点に立ち、水路や擁壁等の壁面を施工する組立柵工についても、植栽による景観向上や環境緑化を図ることができるようにした組立柵工技術を提供することを課題としている。
【課題を解決するための手段】
【０００４】
　上記の課題を解決するために、本発明の組立柵工（請求項１）は、
　水路や擁壁等の壁面を施工する組立柵工であって、
　下側部分を地中に埋設する状態で壁面に沿って立設される複数本の杭体と、隣り合う杭体間において上下複数段に横架されて背面土を支える平状土留板とポット付き土留板を備え、
　前記ポット付き土留板の正面に上面が開放した植生用ポット部を形成し、この植生用ポット部内に植生土を充填した構成にしている。
　又、本発明の組立柵工（請求項２）は、
　水路や擁壁等の壁面を施工する組立柵工であって、
　下側部分を地中に埋設する状態で壁面に沿って立設される複数本の杭体と、隣り合う杭体間において上下複数段に横架されて背面土を支えるポット付き土留板を備え、
　前記ポット付き土留板の正面に上面が開放した植生用ポット部を形成し、この植生用ポット部内に植生土を充填した構成にしている。
【０００５】
　この組立柵工では、ポット付き土留板の正面に上面が開放した植生用ポット部を形成しているため、この植生用ポット部をいわゆるプランターとして使用することができる。
　従って、この植生用ポット部に植生土を充填して、ここに植物を植生させれば、壁面に上下複数段のグリーンベルトができあがり、単なるコンクリート壁と異なり、景観向上や環境緑化を図ることができる。
【発明の効果】
【０００６】
　本発明の組立柵工にあっては、景観向上や環境緑化の観点に立ち、水路や擁壁等の壁面を施工する組立柵工について、植栽による景観向上や環境緑化を図ることができる。
【発明を実施するための最良の形態】
【０００７】
　以下、本発明の実施の形態を図面により詳述する。
図１は本発明の実施の形態である組立柵工の断面図、図２はこの組立柵工の平面図、図３はこの組立柵工の正面図である。
【０００８】
　この組立柵工は、擁壁の壁面を施工するものであって、杭体１と、平状土留板２及びポット付き土留板３を備えている。
【０００９】
　前記杭体１は、鉄筋コンクリートにより角柱状に形成され、中程背面部に突出部１０が形成された既成品が用いられている。
　そして、壁面に沿って複数本の杭体１を一定間隔で立設させるもので、この場合、突出部１０が背面になるように各杭体１の下側部分を地中Ｇに打ち込んで埋設する。
【００１０】
　前記平状土留板２は、鉄筋コンクリートにより平板状に形成された既成品が用いられている。
　又、ポット付き土留板３は、背面板部３０の正面に上面が開放した植生用ポット部３１を形成したもので、この植生用ポット部３１は、内側に傾斜した左右側板３２，３２と、上縁側が壁面の前面側に傾斜した前面板３３とで内部に凹状空間３４を囲むように形成されている。
　また、前記背面板部３０には、杭体１の背面幅の半分の突出幅で架設部３５，３５が両端部に形成され、又、背面板部３０を貫通して前記凹状空間３４内に連通する導水穴３６が形成されている。
　そして、この平状土留板２の両端部及びポット付き土留板３の架設部３５，３５を隣り合う杭体１，１間に横架させることにより、この平状土留板２及びポット付き土留板３によって背面土Ｂを支えた組立柵工が構成される。
　尚、この実施の形態では、杭体の突出部１０の上に平状土留板２の両端を支持させることで、擁壁の最下段に平状土留板２を横架させ、この平状土留板２の上に支持されるようにポット付き土留板３を２段に横架させ、このポット付き土留板３の上に支持されるように平状土留板２を横架させ、かつ擁壁の最上段において平状土留板２及び各杭体１の上端に笠木ブロック９９を上から被せた擁壁構造に施工されている。
　そして、前記各ポット付き土留板３の植生用ポット部３１内に植生土Ｑを充填して、ここに植物を植生させるようになっている。
【００１１】
　このように構成した組立柵工では、ポット付き土留板３の正面に上面が開放した植生用ポット部３１が形成されているため、この植生用ポット部３１をいわゆるプランターとして使用することができる。
　従って、この植生用ポット部３１に植生土Ｑを充填して、ここに植物を植生させれば、壁面に上下複数段のグリーンベルトができあがり、単なるコンクリート壁と異なり、景観向上や環境緑化を図ることができる。
　又、導水穴３６によって植生用ポット部３１に充填した植生土Ｑと背面土Ｂが連通するため、背面土Ｂから植生土Ｑへの雨水の浸透が得られ、地山からの水分補給が得られる。
【００１２】
　以上、本発明の実施の形態を図面により説明したが、具体的な構成はこれに限定されることはない。
　例えば、杭体を用いた組立柵工については、これを用いて水路の壁面を構築するほか、擁壁の壁面を構築することができる。
　又、杭体の立設間隔や土留板の段数等は、現場条件等に合わせて適宜に設計することができる。
　又、土留板の材質についても、鉄筋コンクリートのほか、プラスチック、金属、木材、ポーラスコンクリート等を使用できるし、その表面にデザインや塗装を施すことは任意である。
　又、実施の形態において、土留板として平状土留板２とポット付き土留板３を用いたが、平状土留板２を用いずに、ポット付き土留板３のみを用いて施工することもできる。
【図面の簡単な説明】
【００１３】
【図１】本発明の実施の形態である組立柵工の断面図である。
【図２】その組立柵工の平面図である。
【図３】その組立柵工の正面図である。
【符号の説明】
【００１４】
　　１　杭体
　１０　突出部
　　Ｂ　背面土
　　Ｇ　地中
　　Ｑ　植生土
　　２　平状土留板
　　３　ポット付き土留板
　３０　背面板部
　３１　植生用ポット部
　３２　側板
　３３　前面板
　３４　凹状空間
　３５　架設部
　３６　導水穴
　９９　笠木ブロック
【手続補正３】
【補正対象書類名】図面
【補正対象項目名】全図
【補正方法】変更
【補正の内容】
【図１】
2004137892.tif 000013
【図２】
2004137892.tif 000014
【図３】
2004137892.tif 000015